(57)【要約】カートン形成用ネック−スルー・ザ・トップ・カートン・ブランクは、四層把手パネルと、孔を備えている二層頂部パネルとを有しており、それらの孔を通るようにして、壜の頸部が、延在させられ得る。頂部パネル内の孔は、把手パネルに向かって突出している弧状延出開口部を有しており、もって、孔を通って延在している壜の頸部のラベルへの損傷が、最小にされる。このブランクをカートンへと接着するための折り線は、互いに平行である。
2005535532.tif 000002
【特許請求の範囲】
【請求項１】
ネック−スルー・ザ・トップ・ブランクであって、前記ブランクは、開いて壜を詰め込む準備が整っている、折り線で折り畳まれたカートンへと、インライン接着機において折り畳まれ且つ接着され得、
前記カートンは、底壁と、側壁と、端壁と、各側壁に取着されている頂部パネルと、各頂部パネルに取着されている把手パネルとを有しており、
一の端壁は、２つの部分であって、各部分に折り畳み可能に取着されている間仕切パネルを備えているものに分割されており、
各間仕切パネルは、複数の隔室仕切片を有しており、
各頂部パネルは、対応している頂部フラップに取着されていると共に、各把手パネルは、対応している把手フラップに取着されており、もって、頂部パネル及び頂部フラップ並びに把手パネル及び把手フラップの全てが、互いに他方の上へ折り畳まれると、二層頂部パネルの対と四層把手パネルとが、形成され、
前記頂部パネル及び前記頂部フラップは、壜の頸部用の、対応している孔を有している、
ブランク。
【請求項２】
各間仕切パネルが、頂部と、底部と、２つの端部とを有しており、この状況で、中央パネル部が、頂部を横切って延在しており、キール部が、底部を横切って延在しており、端部ストリップ部が、一方の端部を横切って延在しており、
前記中央パネル部及び前記キールパネル部は、カートンが折り畳まれているときに、各間仕切パネルにおける中央パネル部及びキール部が、それぞれ、一体となるように接着されて二層中央パネル部及び二層キール部を形成し得るよう、配置されている、
請求項１のブランク。
【請求項３】
各間仕切パネルにおける端部ストリップ部が、カートンが折り畳まれているときに、これらの端部ストリップ部が一体となるように接着されて二層端部ストリップ部を形成し得るよう、配置されている請求項２のブランク。
【請求項４】
頂部パネル及び頂部フラップにおける孔が、円い形状であると共に、それぞれ把手パネル及び把手フラップに向かって突出している弧状延出開口部を各孔内に備えている請求項１のブランク。
【請求項５】
頂部パネル及び頂部フラップにおける孔が、円い形状であると共に、それぞれ把手パネル及び把手フラップに向かって突出している弧状延出開口部を各孔内に備えている請求項２のブランク。
【請求項６】
頂部パネル及び頂部フラップにおける孔が、円い形状であると共に、それぞれ把手パネル及び把手フラップに向かって突出している弧状延出開口部を各孔内に備えている請求項３のブランク。
【請求項７】
ブランクをカートンへと接着する際に折り畳まれる折り線の全てが、互いに平行である請求項１のブランク。
【請求項８】
頸部を備えている壜を運搬するネック−スルー・ザ・トップ・カートンであって、前記カートンは、底壁と、側壁と、端壁とを有しており、
一の端壁は、２つの部分であって、各部分に取着されている間仕切パネルを備えているものに分割されており、
前記間仕切パネルは、互いに他方に接着されており、各間仕切パネルは、複数の隔室仕切片を有しており、各隔室仕切片は、隣接する側壁に接着されているタブを備えており、
頂部パネルが、各側壁に取着されており、各頂部パネルは、頂部フラップに、重なり合っている位置において取着されており、
把手パネルが、各頂部パネルと各頂部フラップとに取着されており、把手フラップが、各把手パネルに取着されており、
全ての把手パネル及び把手フラップが、四層把手を形成すべく、重なり合っている位置において、一体となるように接着されており、
前記頂部パネル及び前記頂部フラップは、壜の頸部を受容する孔を有している、
カートン。
【請求項９】
各間仕切パネルが、頂部と、底部と、２つの端部とを有しており、この状況で、中央パネル部が、頂部を横切って延在しており、キール部が、底部を横切って延在しており、
各間仕切パネルの前記中央パネル部及び前記キール部は、それぞれの中央パネル部及びキール部を一体となるように保持すべく、重なり合っている位置において、それぞれ、一体となるように接着されている請求項８のカートン。
【請求項１０】
各間仕切パネルが、端部ストリップ部をも有しており、間仕切パネルの端部ストリップ部は、一体となるように接着されている請求項９のカートン。
【請求項１１】
頂部パネル及び頂部フラップにおける孔が、円い形状であると共に、それぞれ把手パネル及び把手フラップに向かって突出している弧状延出開口部を各孔内に備えている請求項８のカートン。
【請求項１２】
頂部パネル及び頂部フラップにおける孔が、円い形状であると共に、それぞれ把手パネル及び把手フラップに向かって突出している弧状延出開口部を各孔内に備えている請求項９のカートン。
【請求項１３】
頂部パネル及び頂部フラップにおける孔が、円い形状であると共に、それぞれ把手パネル及び把手フラップに向かって突出している弧状延出開口部を各孔内に備えている請求項１０のカートン。
【発明の詳細な説明】
【技術分野】
【０００１】
発明の背景
１．発明の分野
本発明は、壜カートンであって、壜の頸部用の孔を頂部パネル内に有していると共に、ガラス壜に対して十分な保護を与えるものに関する。これらのカートンは、これらが四層把手パネルと孔を備えている二層頂部パネルとを有するように、構成されている。更に、それは、二層中央パネルを有しており、この二層中央パネルは、カートンの一端部に折り畳み可能に取着されている。これらのカートンは、これらがインライン接着機において容易に折り畳まれ且つ接着されるよう、構成されている。カートンの種々のパネル及びフラップを折り畳むための折り線の全てが、接着機の縦方向ラインに平行である。
【０００２】
２．発明の背景
カートンを折り畳み且つ接着するライトアングル接着機は、調時されており、この結果、カートンを折り畳み且つ接着するのを比較的容易にする。インライン接着機は、そのようには調時されておらず、このため、インライン接着機においてカートンを折り畳み且つ接着するのは、より困難である。インライン接着機において容易に折り畳まれ且つ接着され得るネック−スルー・ザ・トップ・カートン(neck-through the top carton)を開発することは、望ましいであろう。折り畳まれ且つ接着される種々のフラップ及びパネルを、板紙の望ましくない襞をもたらすことなく、これらが簡単に１８０°素早く折り返されて適切なパネル又はフラップに接着され得るように構成することが、必要であろう。
【０００３】
ガラス壜は、破損を最少にするための保護を、壜の全ての側部の周りに必要としている。ガラス壜は、また、充填されている壜の重い重量を支えるべく、丈夫な把手を備えているカートンを必要としている。全ての飲料壜は、それらのブランドを消費者に広めるべく、壜の頸部にラベルを有することを好む。これらのラベルは、詰め込み又は輸送の間に、ネック−スルー・ザ・トップ・カートンにおける孔であって、これらの孔の中へ、これらのラベルが延在するものにより、損傷を受けがちである。これが起こるのを最少にする方法を見出すことは、望ましいであろう。
【０００４】
発明の概要
本発明の目的は、壜に対して十分な保護を与えるネック−スルー・ザ・トップ・カートンであって、インライン接着機において折り畳まれ且つ接着され得るものを開発することである。本発明の更なる目的は、充填されているガラス壜を支えるのに十分に丈夫な把手を有しているネック−スルー・ザ・トップ・カートンを開発することである。本発明の別の目的は、壜の頸部上のラベルに損傷を与えることのない孔を有しているネック−スルー・ザ・トップ・カートンであって、それらの孔を通って壜の頸部が延在するものを開発することである。
【０００５】
本発明の目的は、カートンであって、このカートンにおいては、カートンのパネルを折り畳むための全ての折り線が接着機の縦方向ラインに平行であるものを提供することにより、達成されている。ネック−スルー・ザ・トップ・カートンは、四層把手パネルと、孔を備えている二層頂部パネルとを有しており、壜は、それらの孔を通って延在する。カートンは、各壜を隣りの壜から分離するための隔室仕切片と、二層間仕切パネルとを有しており、各パネルは、カートンの一端部に折り畳み可能に取着されている。間仕切パネル、中央パネル部及び底部キール部が、互いに他方と対面していると共に、一体となるように接着されており、もって、追加の支持部が、カートンに供給される。更に、間仕切パネルは、一体となるように接着される端部ストリップ部を有していてもよい。
【０００６】
頂部パネルにおける孔であって、これらの孔を通って壜の頸部が延在するものは、把手パネルに向かって突出している弧状延出開口部であって、壜及び頸部上のラベルへの損傷を防ぐためのものを有している。このカートンの強度は、二層頂部パネルであって、これらの二層頂部パネルを貫いてビンの頸部が延在するものと、四層把手パネルであって、一体となるようにして接着されて一体化構造体を形成しているものとを有することにより、強められている。
【０００７】
本発明のこれらの及び他の目的、特徴及び利点は、添付図面の図と共に以下の詳細な記載を読解することにより、より明らかになるであろう。
【０００８】
好適な実施形態の詳細な記載
本発明は、運搬されつつある壜に対して十分な保護を与えるネック−スルー・ザ・トップ・カートンである。このカートンは、板紙から切り出されたブランクのような、折り畳み可能な材料の単一ピースから形成され得る。ブランクのレイアウトは、基本的には矩形であり、このことは、使用される板紙の量の節約を結果的にもたらす。これらのカートンは、４本〜１２本の壜を運搬するのに使用され得る。それらは、特に、６本の壜を運搬すべく設計されている。カートンは、ガラス壜を運搬すべく設計されているが故に、それらは、ガラスに対して十分な保護を与える。これらのカートンは、インライン接着機において折り畳まれ且つ接着されるべく設計されている。
【０００９】
図１Ａ及び図１Ｂの複合図は、本発明の一実施形態のブランク・パネル・カートンの平面図を形成する。ブランクは、数字１０によって表されている。底部フラップ１２が、折り線１４を介して底部パネル１６に取着されており、順次、底部パネル１６は、折り線２０を介して側部パネル１８に取着されている。側部パネル１８は、折り線２４を介して頂部パネル２２に取着されており、順次、頂部パネル２２は、折り線２８を介して把手パネル２６に取着されている。
【００１０】
側部パネル１８は、端部パネル３０に取着されており、この端部パネル３０は、折り線３６を介して間仕切パネル３１に取着されている。間仕切パネル３１は、キール部３４と、中央パネル部３８と、端部ストリップ部４０とから成っている。頂部フラップ４２は、折り線３２を介して頂部パネル２２に折り畳み可能に取着されており、順次、折り線４６を介して把手フラップ４４に取着されている。端部パネル４８は、折り線５０を介して側部パネル１８に取着されており、順次、折り線５４を介して対応端部パネル５２に取着されており、この端部パネル５２は、順次、折り線５８を介して側部パネル５６に折り畳み可能に接続されている。側部パネル５６は、折り線６２を介して底部フラップ６０に取着されていると共に、折り線６６を介して頂部パネル６４に折り畳み可能に取着されており、順次、頂部パネル６４は、折り線７０を介して把手パネル６８に取着されている。側部パネル５６は、折り線７４を介して端部パネル７２に折り畳み可能に取着されている。端部パネル７２は、折り線７８及び８２を介して間仕切パネル７５に折り畳み可能に取着されている。間仕切パネル７５は、キール部７６と、中央パネル部８０と、端部ストリップ部８１とから成っている。頂部パネル６４及び把手パネル６８は、折り線７４を介して、それぞれ、頂部フラップ８４及び把手フラップ８６に折り畳み可能に取着されている。
【００１１】
このカートンは、把手パネル２６及び６８並びに把手フラップ４４及び８６における把手孔９０Ａ〜９０Ｄを介して運搬されるように設計されている。これらの孔のうちの２つの孔９０Ｂ及び９０Ｃは指フラップ９２Ａ及び９２Ｂを設けられており、これらの指フラップ９２Ａ及び９２Ｂは折り線９４Ａ及び９４Ｂを介して把手パネル２６及び６８に接合されている、ということが、留意される。これらは、重い壜を詰め込まれているカートンを運搬している間、指にクッションを提供する。これはネック−スルー・ザ・トップ・カートンであるので、ネック孔９６Ａ〜９６Ｌが、頂部パネル２２及び６４と頂部フラップ４２及び８４とに設けられている。ネック孔９６Ａ〜９６Ｌは、円く、そして、壜の頸部を収容する。ラベル保護開口部が、弧状延出開口部９８Ａ〜９８Ｌにより、それらの孔に設けられおり、これらの弧状延出開口部９８Ａ〜９８Ｌは、隣接している把手パネル又は把手フラップに向かって突出している。
【００１２】
壜及びこれらの壜の頸部の延長部の、孔９６Ａ〜９６Ｌを通しての詰め込みを容易にすべく、折り線１００が、頂部パネル２２及び６４に設けられていてもよい。
【００１３】
間仕切パネル３１及び７５は、隔室仕切片１０２Ａ〜１０２Ｄを設けられており、これらの隔室仕切片１０２Ａ〜１０２Ｄは、折り線１０４Ａ〜１０４Ｄを介して間仕切パネルに取着されている。隔室仕切片１０２Ａ〜１０２Ｄの各々は、接着タブ１０６Ａ〜１０６Ｄを介してそれぞれの側部パネル１８又は５６に取着され、それらの接着タブ１０６Ａ〜１０６Ｄは、折り線１０８Ａ〜１０８Ｄを介してそれぞれの隔室仕切片１０２Ａ〜１０２Ｄに取着されている。間仕切パネル７５は、端部パネル５２に接着する接着タブ１１０を設けられている。
【００１４】
本発明のカートンは、インライン接着機において折り畳まれ且つ接着されるべく設計されている。この結果、このカートンを組み立てる工程において折り畳まれるのに必要な全ての折り線は、互いに平行である。従って、線７４は、線５８,５４,５０及び３２に平行である。インライン接着機における第１段階において、端部パネル３０及び間仕切パネル３１並びに対応している端部パネル７２及び間仕切パネル７５が、それぞれ、側部パネル１８並びに５６上へ折り畳まれる。接着タブ１０６Ａ〜１０６Ｄが、折り畳まれ、それぞれの側壁１８及び５６に接着される。接着タブ１１０が、折り線５４に隣接して、端部パネル５２に接着される。同時に、頂部フラップ４２及び把手フラップ４４が、頂部パネル２２及び把手パネル２６上へ折り畳まれる。把手フラップ４４は、把手パネル２６に接着される。同様に、頂部フラップ８４及び把手フラップ８６は、頂部パネル６４及び把手パネル６８上へ折り畳まれ、把手フラップ８６は、把手パネル６８に接着される。この段階が、図２に示されている。
【００１５】
次の段階が、図３に示されている。カートンの２つの側部が、一方が他方の上になるようにして折り畳まれ、接着される。把手フラップ４４が、把手フラップ８６上へ折り畳まれ、四層把手構造体を作製すべく接着される。四層の把手が好ましいが、板紙の強度と運搬される製品の重量との因子に依存して、二層又は三重の把手を備えている受容可能なカートンを作製することも、可能である。その工程の部分として、二層パネルを形成すべく、頂部フラップ４２が、頂部フラップ８４の頂部の上へ折り畳まれる。間仕切パネル３１が、間仕切パネル７５の頂部上へ折り畳まれ、キール部３４が、キール部７６に接着され、中央パネル部３８が、中央パネル部８０に接着される。端部ストリップ部４０が、端部ストリップ部８１に接着される。キール部３４はキール部７６よりも幾分小さく示されているが、所望されるならば、２つのキール部材は同じサイズであってもよい、ということに、留意されたい。この場合、完成したカートンは、幾分、より堅いであろう。
【００１６】
この実施形態のカートンの内部構造が、図４に示されており、この内部構造は、二層中央パネル・隔室仕切片を示している。図５は、中央パネル部、二層間仕切パネル及び隔室仕切片を示している、カートンの内部の平面図であり、接着タブが、端壁に取着されている。この時点において、カートンは、壜を詰め込まれるべく、壜詰め工場への輸送の準備が整ったことになる。この実施形態のカートンであって、壜Ｂを詰め込まれているものが、図６に示されている。図７は、頸部孔を通るようにして部分的に挿入された壜の頸部を示していると共に、弧状延出開口部９８Ａ〜９８Ｂをも示している。図８は、頸部孔内へ完全に挿入されている壜の頸部を示しており、ラベルＬが、見える。壜は、頸部孔を通して挿入されており、もって、工程を完了させるべく、フラップ６０が、底部フラップ１２に接着され得る。
【００１７】
本発明が好適な形態で開示されているが、本発明の精神及び範囲から並びに請求項に記載されている本発明の均等物から逸脱することなく、多くの変更、追加及び削除がなされ得る、ということは、当業者にとって明らかであろう。
【００１８】
本発明の独特な特徴
本発明のカートンは、幾つかの独特な特徴を有している。第１に、このカートンを形成するための折り線の全てが、互いに平行である。このカートンは、頸部孔を備えている二層頂部パネルと、四層把手と、壜の列の間の二層間仕切パネルとを有しているという点において、このカートンは、壜に対して十分な保護を与える。
【００１９】
弧状延出開口部は、壜の頸部上のラベルへの損傷を最小にすべく、把手に向かって突出している。
【図面の簡単な説明】
【００２０】
【図１Ａ】本発明のカートンの実施形態を形成するためのブランクの、整合線によって接続される平面図である。
【図１Ｂ】本発明のカートンの実施形態を形成するためのブランクの、整合線によって接続される平面図である。
【図２】図１のブランクであって、このブランクにおいては、間仕切パネルが側部パネル上へ折り畳まれていると共に、把手フラップが把手パネル上へ折り畳まれている、ものの平面図である。
【図３】図２のブランクであって、中心線の周りに更に折り畳まれており且つ一体となるように接着されているものの平面図である。
【図４】図３のカートンであって、カートンの内部構造を示すべく、開かれているものの底面図である。
【図５】図３のカートンであって、二層間仕切パネルと隔室仕切片とを示すべく、開かれているものの斜視図である。
【図６】図３のカートンであって、壜を詰め込まれており且つ一体に接着された底部を有しているものの斜視図である。
【図７】孔であって、この孔を通って壜の頸部が延在するものを示すための、壜を詰め込まれつつある図４のカートンの斜視図である。
【図８】完全に詰め込まれたカートン内の、孔を通って延在している壜の斜視図である。
【図１Ａ】
2005535532.tif 000003
【図１Ｂ】
2005535532.tif 000004
【図２】
2005535532.tif 000005
【図３】
2005535532.tif 000006
【図４】
2005535532.tif 000007
【図５】
2005535532.tif 000008
【図６】
2005535532.tif 000009
【図７】
2005535532.tif 000010
【図８】
2005535532.tif 000011
【国際調査報告】
2005535532.tif 000012